【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
ナノ構造体組成物であって、
（ａ）少なくとも１つのナノ構造体の集合における約２０〜約１００モルパーセントのリガンドが、アミン、チオール、又はシアノ官能基を含むリガンドを含む、少なくとも１つのナノ構造体の集合と、
（ｂ）アクリレート、メタクリレート、又はチオール官能性化合物である、少なくとも１つの有機樹脂と、
（ｃ）イタコン酸、ジフェニルホスフィン酸、ジイソオクチルホスフィン酸、ビス（メタクリロキシエチル）ホスフェート、又はデセス−４ホスフェートを含む、少なくとも１つの安定化添加剤と、
を含み、前記ナノ構造体組成物は少なくとも１時間安定である、ナノ構造体組成物。
【請求項２】
前記少なくとも１つのナノ構造体の集合は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ、及びＩｎＡｓＰからなる群から選択されるコアを含む、請求項１に記載のナノ構造体組成物。
【請求項３】
前記少なくとも１つの有機樹脂は、チオール官能性化合物である、請求項１に記載のナノ構造体組成物。
【請求項４】
前記少なくとも１つの有機樹脂は、アクリレートである、請求項１に記載のナノ構造体組成物。
【請求項５】
前記少なくとも１つの有機樹脂は、ペンタエリスリトールテトラキス（３−メルカプトプロピオネート）、ペンタエリスリトールテトラキス（３−メルカプトブチレート）、トリメチロールプロパントリ−（３−メルカプトプロピオネート）、グリコールジ−（３−メルカプトプロピオネート）、ペンタエリスリトールテトラメルカプトアセテート、トリメチロールプロパントリメルカプトアセテート、グリコールジメルカプトアセテート、エトキシ化トリメチルプロパントリ（３−メルカプトプロピオネート）７００、エトキシ化トリメチルプロパントリ（３−メルカプトプロピオネート）１３００、プロピレングリコール３−メルカプトプロピオネート８００、及びプロピレングリコール３−メルカプトプロピオネート２２００からなる群から選択される、請求項１に記載のナノ構造体組成物。
【請求項６】
前記少なくとも１つの有機樹脂は、イソボルニルアクリレート、テトラヒドロフルフリルアクリレート、エトキシ化フェニルアクリレート、ラウリルアクリレート、ステアリルアクリレート、オクチルアクリレート、イソデシルアクリレート、トリデシルアクリレート、カプロラクトンアクリレート、ノニルフェノールアクリレート、環状トリメチロールプロパンホルマールアクリレート、メトキシポリエチレングリコールアクリレート、メトキシポリプロピレングリコールアクリレート、ヒドロキシエチルアクリレート、ヒドロキシプロピルアクリレート、及びグリシジルアクリレートからなる群から選択される、請求項１に記載のナノ構造体組成物。
【請求項７】
前記少なくとも１つの有機樹脂は、トリシクロデカンジメタノールジアクリレート、ジオキサングリセロールジアクリレート、１，６−ヘキサンジオールジアクリレート、３−メチル１，５−ペンタンジオールジアクリレート、トリプロピレングリコールジアクリレート、ネオペンチルグリコールジアクリレート、ジメチロールトリシクロデカンジアクリレート、１，４−ジヒドロキシメチルシクロヘキサンジアクリレート、２，２−ビス（４−ヒドロキシシクロヘキシル）プロパンジアクリレート、及びビス（４−ヒドロキシシクロヘキシル）メタンジアクリレートからなる群から選択される、請求項１に記載のナノ構造体組成物。
【請求項８】
２つの有機樹脂を含むナノ構造体組成物であって、１つの有機樹脂は、ペンタエリスリトールテトラキス（３−メルカプトプロピオネート）であり、１つの有機樹脂は、トリシクロデカンジメタノールジアクリレートである、請求項１に記載のナノ構造体組成物。
【請求項９】
光開始剤を更に含むナノ構造体組成物であって、前記光開始剤は、エチル−（２，４，６−トリメチルベンゾイル）フェニルホスフィネートである、請求項１に記載のナノ構造体組成物。
【請求項１０】
前記組成物は、少なくとも２４時間安定である、請求項１に記載のナノ構造体組成物。
【請求項１１】
ナノ構造体組成物を調製する方法であって、前記方法は、
（ａ）
（ｉ）少なくとも１つのナノ構造体の集合と少なくとも１つの安定化添加剤とを含む組成物を準備することであって、前記少なくとも１つのナノ構造体の集合における約２０〜約１００モルパーセントのリガンドが、アミン、チオール、又はシアノ官能基を含むリガンドを含む、準備すること、及び
（ｉｉ）少なくとも１つの有機樹脂を（ａ）（ｉ）の前記組成物と混合することであって、前記少なくとも１つの有機樹脂は、アクリレート、メタクリレート、又はチオール官能性化合物を含む、混合すること；
（ｂ）
（ｉ）少なくとも１つの有機樹脂と少なくとも１つの安定化添加剤とを含む組成物を準備することであって、前記少なくとも１つの有機樹脂は、アクリレート、メタクリレート、又はチオール官能性化合物を含む、準備すること、及び
（ｉｉ）少なくとも１つのナノ構造体の集合を（ｂ）（ｉ）の前記組成物と混合することであって、前記少なくとも１つのナノ構造体の集合における約２０〜約１００モルパーセントのリガンドが、アミン、チオール、又はシアノ官能基を含むリガンドを含む、混合すること；又は
（ｃ）
（ｉ）少なくとも１つのナノ構造体の集合と少なくとも１つの有機樹脂とを含む組成物を準備することであって、前記少なくとも１つのナノ構造体の集合における約２０〜約１００モルパーセントのリガンドが、アミン、チオール、又はシアノ官能基を含むリガンドを含み、前記少なくとも１つの有機樹脂は、アクリレート、メタクリレート、又はチオール官能性化合物を含む、準備すること、及び
（ｉｉ）少なくとも１つの安定化添加剤を（ｃ）（ｉ）の前記組成物と混合することであって、前記少なくとも１つの安定化添加剤は、イタコン酸、ジフェニルホスフィン酸、ジイソオクチルホスフィン酸、ビス（メタクリロキシエチル）ホスフェート、又はデセス−４ホスフェートを含む、混合すること；
を含む方法。
【請求項１２】
前記少なくとも１つのナノ構造体の集合は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ、及びＩｎＡｓＰからなる群から選択されるコアを含む、請求項１１に記載の方法。
【請求項１３】
前記ナノ構造体組成物は、（ａ）（ｉｉ）、（ｂ）（ｉｉ）、又は（ｃ）（ｉｉ）での前記混合後１時間で４０％未満の粘度増加を有する、請求項１１に記載の方法。
【請求項１４】
前記ナノ構造体組成物は、（ａ）（ｉｉ）、（ｂ）（ｉｉ）、又は（ｃ）（ｉｉ）での前記混合後２４時間で４０％未満の粘度増加を有する、請求項１１に記載の方法。
【請求項１５】
ナノ構造体フィルム層であって、
（ａ）少なくとも１つのナノ構造体の集合における約２０〜約１００モルパーセントのリガンドが、アミン、チオール、又はシアノ官能基を含むリガンドを含む、少なくとも１つのナノ構造体の集合と、
（ｂ）アクリレート、メタクリレート、又はチオール官能性化合物である、少なくとも１つの有機樹脂と、
（ｃ）イタコン酸、ジフェニルホスフィン酸、ジイソオクチルホスフィン酸、ビス（メタクリロキシエチル）ホスフェート、又はデセス−４ホスフェートを含む、少なくとも１つの安定化添加剤と、
を含み、前記ナノ構造体フィルム層は少なくとも１時間安定であるナノ構造体フィルム層。
【請求項１６】
前記少なくとも１つのナノ構造体の集合は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ、及びＩｎＡｓＰからなる群から選択されるコアを含む、請求項１５に記載のナノ構造体フィルム層。
【請求項１７】
前記少なくとも１つの有機樹脂は、チオール官能性化合物である、請求項１５に記載のナノ構造体フィルム層。
【請求項１８】
前記少なくとも１つの有機樹脂は、アクリレートである、請求項１５に記載のナノ構造体フィルム層。
【請求項１９】
２つの有機樹脂を含むナノ構造体フィルム層であって、１つの有機樹脂は、ペンタエリスリトールテトラキス（３−メルカプトプロピオネート）であり、１つの有機樹脂は、トリシクロデカンジメタノールジアクリレートである、請求項１５に記載のナノ構造体フィルム層。
【請求項２０】
前記ナノ構造体フィルム層は、少なくとも２４時間安定である、請求項１５に記載のナノ構造体フィルム層。